(57)【要約】【課題】定電圧電源回路において、ＰＮ接合の逆方向耐圧までの電圧が出力端子と入力端子間に印加されても、逆過電流による破壊を防止できる。【解決手段】定電圧電源回路に与えられる入力電圧より高い電圧が出力電圧端子に外部より強制的に与えられたときにも、過電流が回路内に流れ込まないような構成の過電流制限回路を設ける。すなわち、出力ドライバＭ５の基板とドレインを接続し、入力電圧をソース電位とし、出力電圧をゲート電位とし、Ｖｉｎ＞Ｖｏｕｔの時、追加Ｍ８のドレインと基板の電位は入力電圧Ｖｉｎと同じになり、Ｖｉｎ＜Ｖｏｕｔの時は、Ｍ８のドレインと基板をＭ５の基板と接続しているため、Ｍ５のドレインを介してＭ８のドレインと基板の電位は出力電位Ｖｏｕｔとなる。【選択図】図２
2008077683.tif 000002
【特許請求の範囲】
【請求項１】
ＭＯＳトランジスタを出力電圧制御用として用いる定電圧電源回路の逆過電流防止回路において、
該定電圧電源回路に与えられる入力電圧より高い電圧が出力電圧に外部より強制的に印加された場合、該出力電圧制御用のＭＯＳトランジスタの基板電極とソース電極を電気的に分離して、該定電圧電源回路内に過電流が流れ込まないようにする過電流制限回路を設けたことを特徴とする逆過電流防止回路。
【請求項２】
ＭＯＳトランジスタを出力電圧制御用として用いる定電圧電源回路の逆過電流防止回路において、
該出力電圧制御用のＭＯＳトランジスタに、該ＭＯＳトランジスタのバルク−ドレイン間をショートしたトランジスタを接続し、
該トランジスタにより該定電圧電源回路の入力電圧と出力電圧の電位の大きい方を選択して、該出力電圧制御用のＭＯＳトランジスタのバルク電位を選択した電位にすることで、該出力電圧制御用のＭＯＳトランジスタの逆耐圧を保つことを特徴とする逆過電流防止回路。
【発明の詳細な説明】
【技術分野】
【０００１】
本発明は、ボルテージレギュレータなどの半導体装置に適用される逆過電流防止回路に関し、特に定電圧電源回路よりも高い電圧を供給する他の電源回路との組み合わせ時の問題点を解決するための逆過電流防止回路に関するものである。
【背景技術】
【０００２】
充電式シェーバーで、ＡＣアダプタを用い商用電源での使用ができるものを使用する定電圧電源回路を例にとって説明する。定電圧電源回路とＡＣアダプターとは出力がシェーバー内でショートして、どちらかを使用するようになっているが、ＡＣアダプタが選択された場合、この定電圧電源回路にＡＣアダプタから流れる電流を防止する逆流保護ダイオードを接続する必要があった。この場合、定電圧電源回路の出力ドライバに、バルクーソース間をショートしたトランジスタを接続していた。使用するトランジスタは、バイポーラ型ではなく、ＭＯＳ型のトランジスタを必要とされていたので、メーカに手間をとらせていた。
【０００３】
図５は、従来における定電圧電源回路の出力電圧制御用のＰチャネルＭＯＳトランジスタの断面構造図である。
Ｐウェル２２上の基板（Ｎウェル）２１内に、Ｐ＋領域１８、Ｐ＋領域１９、およびＮ＋領域２０を設ける。Ｐ＋領域１８をドレイン電極１５、Ｐ＋領域１９とＮ＋領域２０をソース電極１６、Ｐ＋領域１８とＰ＋領域１９をゲート電極１４、Ｎ＋領域２０を基板電極１７とし、ここではソース電極１６と基板電極１７に入力端子電圧１１が、ドレイン電極１５に出力端子電圧１３が、ゲート電極１４に出力電圧制御電圧１２が、それぞれ印加される。
【０００４】
出力電圧１３より入力電圧１１の方が高い通常動作では、トランジスタのソース電極（Ｐ＋）１６および基板電極（Ｎ＋）１７には、入力電圧１１が与えられる。Ｎウェル２１には、基板電極（Ｎ＋）２０と共通となり、入力電圧１１が与えられる。ドレイン電極１５は、ゲート電極１４で制御された出力電圧を出力する（Ｖｉｎ＞Ｖｏｕｔ）。
【０００５】
多電源で使用するようなアプリケーションでは、定電圧電源の出力電圧端子１３を他の電源回路の出力電圧とショートとして使用される場合がある。この時、出力電圧端子（Ｖｏｕｔ）１３に対して外部より強制的に入力電圧１１より高い電圧が与えられると、ドレイン電極（Ｐ＋）１５のＰ型領域１８に対してＮウェル２１および基板電極（Ｎ＋）１７はＮ型領域となっており、ダイオードの順方向特性を示す。従って、この定電圧電源回路の出力端子１３より入力端子１１に向って順方向の過電流が流れてしまい、メタル配線の電流容量をオーバーするなどして破壊してしまうおそれがある（Ｖｉｎ＜Ｖｏｕｔ）。
【０００６】
図６は、従来における外付けの逆流保護ダイオードを付加する場合の概略図である。
図５において、逆過電圧により逆流電流が予想される場合には、通常、図６に示すような外付けの逆流保護ダイオード３０を付加することがある。
すなわち、入力電圧２７と出力電圧２８を与えられる定電圧電源回路２５と、ＡＣアダプター等の他電源回路２６とが並列に接続されたアプリケーション２９においては、定電圧電源２５の出力電圧２８よりも高い電圧がＡＣアダプター等の他電源回路２６から与えられると、定電圧電源回路２５の出力電圧２８から入力電圧２７に向って逆電流が流れてしまうので、これを防止するために、逆流保護ダイオード３０の付加が必要となる。
【発明の開示】
【発明が解決しようとする課題】
【０００７】
このように、従来の定電圧電源回路（ボルテージレギュレータ）においては、定電圧電源回路を多電源で使用するようなアプリケーションでは、定電圧電源回路の出力電圧端子より高い電圧が強制的に他の電源から与えられることがあった。そのために、逆流保護ダイオードを接続する必要があった。
【０００８】
そこで、本発明の目的は、このような従来の課題を解決し、定電圧電源回路に与えられる入力電圧よりも高い電圧が定電圧電源回路の出力電圧端子に与えられたとしても、過電流が回路内に流れ込まないような過電流制限回路を設けることで、逆過電流による破壊等を防止することが可能な逆過電流防止回路を提供することにある。
【課題を解決するための手段】
【０００９】
上記目的を達成するため、本発明の逆過電流防止回路は、定電圧電源回路の出力ドライバにバルクードレイン間をショートしたトランジスタを接続することで、定電圧電源回路のＶｉｎとＶｏｕｔの電位の大きい方を選択して、ドライバのバルク電位をそれにするようにしている。すなわち、このような構造にすることで、出力トランジスタの逆耐圧を保持し、出力トランジスタを保護することが可能となる。
【発明の効果】
【００１０】
本発明によれば、ＰチャネルＭＯＳトランジスタを出力電圧制御用として用いる定電圧電源回路においては、定電圧電源回路に与えられる入力電圧より高い電圧が定電圧電源回路の出力電圧端子に外部より強制的に与えられたとしても、過電流が回路内に流れ込まないような過電流制限回路を備えたため、回路内で定められたＰＮ接合の逆方向耐圧までの電圧が出力端子と入力端子間にかかったとしても、逆過電流による破壊等を防止することができる。
その結果、多電源で使用するようにアプリケーションで、定電圧電源の出力電圧端子を他の電源回路の出力電圧とショートとして使用される場合などに極めて有効である。
【発明を実施するための最良の形態】
【００１１】
以下、本発明の実施形態を、図面により詳細に説明する。
図１は、本発明が適用されるＭＯＳトランジスタを用いた定電圧電源回路の回路構成図である。
定電圧電源回路の入力電圧（Ｖｉｎ）３１、出力電圧（Ｖｏｕｔ）３２、グランド（ＧＮＤ）３４、定電圧回路（ＶＲＥＦ）３３、定電流回路（Ｉ１）、ＰチャネルＭＯＳトランジスタＭ１，Ｍ２，Ｍ５、ＮチャネルＭＯＳトランジスタＭ３，Ｍ４、出力電圧値を決めるための抵抗Ｒ１，Ｒ２から構成されている。
定電圧回路３３と定電流回路Ｉ１とＰチャネルＭＯＳトランジスタＭ１，Ｍ２とＮチャネルＭＯＳトランジスタＭ３，Ｍ４により、誤差増幅器を構成している。また、ＰチャネルＭＯＳトランジスタＭ５は、出力制御用のトランジスタである。
【００１２】
図１において、入力電圧３１より出力電圧３２の方が高い場合、出力電圧であるＰチャネルＭＯＳトランジスタＭ５のドレイン端子はＰ型領域であり、Ｎ型領域であるＮウェル基板を通してＮ型領域の基板電極（Ｖｉｎ）および入力端子に向ってダイオードの順方向電流が流れてしまう。すなわち、ＰチャネルＭＯＳトランジスタＭ５は、図５に示すような構造であり、ドレイン電極１５はＰ＋領域１８であり、Ｎ型領域のＮウェル基板２１を通してＮ＋領域２０と入力端子１１に向って順方向電流が流れることになる。
【００１３】
図２は、本発明の第１の実施例を示すＭＯＳトランジスタを使用した定電圧電源回路の回路構成図である。
図１における逆過電流を回避するためには、基板電極とＰチャネルＭＯＳトランジスタＭ５のソース電極を電気的に分離する必要がある。そのため、図２に示すようなＰチャネルＭＯＳトランジスタＭ８を追加した構成を採用する。
ＰチャネルＭＯＳトランジスタＭ８のソース電位は入力電圧（Ｖｉｎ）４１、ゲート電圧は出力電圧（Ｖｏｕｔ）４２となっている。ドレインと基板は接続されている。すなわち、Ｍ８のドレイン電極はゲート電流の下流の基板で接続されている。
【００１４】
図２において、通常時、すなわちＶｉｎ＞Ｖｏｕｔの時には、ＰチャネルＭＯＳトランジスタＭ８のドレインと基板の電位はＶｉｎと等しくなる。すなわち、Ｍ８のソース電位がＶｉｎであるため、図５に示すように、ゲート電極１４にそれほど大きな電圧が印加されないときには、ソース電極１６からドレイン電極１５に電子流は流れず、かつドレイン電極１５と基板２１は同電位であるからである。
【００１５】
一方、逆流時、すなわちＶｉｎ＜Ｖｏｕｔの時には、ＰチャネルＭＯＳトランジスタＭ８のドレインと基板をＰチャネルＭＯＳトランジスタＭ５の基板と接続しているため、ＰチャネルＭＯＳトランジスタＭ５のドレインを介してＰチャネルＭＯＳトランジスタＭ８のドレインと基板の電位はＶｏｕｔとなる。また、ＰチャネルＭＯＳトランジスタＭ５のソース電位は、入力電圧（Ｖｉｎ）４１である。従って、Ｖｉｎ＜Ｖｏｕｔの時にＰチャネルＭＯＳトランジスタＭ５の基板電極とＰチャネルＭＯＳトランジスタＭ５のソース電極を電気的に分離でき、その結果、ドレイン端子のＰ型領域からＮ型領域であるＮウェル基板を通してＮ型領域の基板電極（Ｖｉｎ）４１および入力端子に向かってダイオードの順方向電流が流れてしまうことを防止することができる。
【００１６】
この時の限界電圧（Ｖｏｕｔ−Ｖｉｎ）は、ＰチャネルＭＯＳトランジスタＭ５のソース端子のＰ型とＮウェル基板のＮ型との接合耐圧で決まる。
しかしながら、Ｖｉｎ＜Ｖｏｕｔの時にＰチャネルＭＯＳトランジスタＭ５の基板電位をＶｏｕｔ４２として、ソース電位と分離することで、ＰチャネルＭＯＳトランジスタＭ５のソースとドレインの機能の逆転が起こり、ＰチャネルＭＯＳトランジスタＭ５がトランジスタとしてＯＮしてしまい、電流がＶｏｕｔ４２からＶｉｎ４１に向かって流れてしまう。これを防ぐためには、ＰチャネルＭＯＳトランジスタＭ５のゲート電位をＶｏｕｔ４２にしておく必要がある。
【００１７】
図３は、本発明の第３の実施例を示すＭＯＳトランジスタを使用した定電圧電源回路の回路構成図である。
図２において、ＰチャネルＭＯＳトランジスタＭ５のソースとドレインの機能の逆転が起こるのを防止するために、図３では、ＰチャネルＭＯＳトランジスタＭ７を新たに設ける。
すなわち、図３に示すように、ＰチャネルＭＯＳトランジスタＭ７は、ゲートをＶｉｎ５１とし、ソースをＰチャネルＭＯＳトランジスタＭ５のゲート、ドレインをＶｏｕｔ５２、基板をＰチャネルＭＯＳトランジスタＭ８の基板に、それぞれ接続している。
Ｖｉｎ＜Ｖｏｕｔの時、ＰチャネルＭＯＳトランジスタＭ８の基板電位、すなわち、ＰチャネルＭＯＳトランジスタＭ７の基板はＶｏｕｔ５２の電位となっている。
【００１８】
従って、ＰチャネルＭＯＳトランジスタＭ７により、ＰチャネルＭＯＳトランジスタＭ５のゲート電位はＶｏｕｔ５２になり、ＰチャネルＭＯＳトランジスタＭ５はトランジスタとしてはＯＦＦしており、ＰチャネルＭＯＳトランジスタＭ５の逆流電流は流れない。
しかしながら、Ｖｉｎ＜Ｖｏｕｔの時、ＰチャネルＭＯＳトランジスタＭ５のゲート電位をＶｏｕｔ５２にすることにより、ＰチャネルＭＯＳトランジスタＭ５のゲートと接続されているＰチャネルＭＯＳトランジスタＭ１にも、ＰチャネルＭＯＳトランジスタＭ５と同様に、ドレインのＰ型領域からＮ型領域であるＮウェル基板および基板電極に向かってダイオードの順方向電流が流れてしまう。
【００１９】
図４は、本発明の第４の実施例を示すＭＯＳトランジスタを使用した定電圧電源回路の回路構成図である。
図３において、ＰチャネルＭＯＳトランジスタＭ１にも、ＰチャネルＭＯＳトランジスタＭ５と同様に、ドレインのＰ型領域からＮ型領域であるＮウェル基板および基板電極に向かってダイオードの順方向電流が流れるので、これを防止する必要がある。
【００２０】
本実施例では、図４に示すように、ＰチャネルＭＯＳトランジスタＭ５と同様に、ＰチャネルＭＯＳトランジスタＭ１の基板をＰチャネルＭＯＳトランジスタＭ８の基板に接続する。また、ＰチャネルＭＯＳトランジスタＭ１のゲートもＰチャネルＭＯＳトランジスタＭ５と同様にＶｏｕｔ６２にしておく必要があるため、ゲートをＶｉｎ６１とし、ソースをＰチャネルＭＯＳトランジスタＭ１のゲート、ドレインをＰチャネルＭＯＳトランジスタＭ５のゲート、基板をＰチャネルＭＯＳトランジスタＭ８の基板に接続したＰチャネルＭＯＳトランジスタＭ６を追加する。
【００２１】
Ｖｉｎ＜Ｖｏｕｔの時、ＰチャネルＭＯＳトランジスタＭ８の基板電位、すなわちＰチャネルＭＯＳトランジスタＭ６の基板電位は、Ｖｏｕｔ６２の電位となっている。このため、ＰチャネルＭＯＳトランジスタＭ６によりＰチャネルＭＯＳトランジスタＭ１のゲート電位はＶｏｕｔ６２になり、ＰチャネルＭＯＳトランジスタＭ１はトランジスタとしてはＯＦＦしており、ＰチャネルＭＯＳトランジスタＭ１の逆流電流は流れない。
【００２２】
ＰチャネルＭＯＳトランジスタＭ１のゲートと、ＰチャネルＭＯＳトランジスタＭ２のゲート、およびドレインは接続されている。ＰチャネルＭＯＳトランジスタＭ１と同様にＰチャネルＭＯＳトランジスタＭ２のドレインのＰ型領域からＮ型領域であるＮウェル基板および基板電極に向かってダイオードの順方向電流が流れてしまう。従って、図４に示すように、ＰチャネルＭＯＳトランジスタＭ１と同様に、ＰチャネルＭＯＳトランジスタＭ２の基板は、ＰチャネルＭＯＳトランジスタＭ８の基板に接続する。
【００２３】
以上のように、ＰチャネルＭＯＳトランジスタＭ６，Ｍ７，Ｍ８を追加することにより、Ｖｉｎ＜Ｖｏｕｔの時において、Ｖｏｕｔ端子からのＶｉｎ端子への逆過電流は流れない。
なお、Ｖｉｎ＞Ｖｏｕｔの時においても、ＰチャネルＭＯＳトランジスタＭ６，Ｍ７のゲートはＶｉｎに接続され、かつ基板電位はＰチャネルＭＯＳトランジスタＭ８であり、そのＰチャネルＭＯＳトランジスタＭ８はドレインおよび基板電位がＶｉｎとなっているため、ＰチャネルＭＯＳトランジスタＭ６，Ｍ７はトランジスタとしてはＯＦＦしており、通常のレギュレーション動作には影響しない。
【図面の簡単な説明】
【００２４】
【図１】本発明が適用されるＭＯＳトランジスタを用いた定電圧電源回路の回路構成図である。
【図２】本発明の第１の実施例を示すＭＯＳトランジスタを用いた定電圧電源回路の回路構成図である。
【図３】発明の第２の実施例を示すＭＯＳトランジスタを用いた定電圧電源回路の回路構成図である。
【図４】本発明の第３の実施例を示すＭＯＳトランジスタを用いた定電圧電源回路の回路構成図である。
【図５】従来におけるＭＯＳトランジスタを用いた定電圧電源回路の断面構造図である。
【図６】従来におけるＭＯＳトランジスタを用いた定電圧電源回路に逆流保護ダイオードを接続した構成図である。
【符号の説明】
【００２５】
３１，４１，５１，６１…入力電圧（Ｖｉｎ）、
３２，４２，５２，６２…出力電圧（Ｖｏｕｔ）、
３３，４３，５３，６３…定電圧回路（ＶＲＥＦ）、
３４，４４，５４，６４…グランド（ＧＮＤ）、
Ｉ１…定電流回路、Ｒ１，Ｒ２…抵抗、
Ｍ１，Ｍ２…ＰチャネルＭＯＳトランジスタ、
Ｍ３，Ｍ４…ＮチャネルＭＯＳトランジスタ、
Ｍ５…定電圧電源回路の出力ドライバ、
Ｍ６，Ｍ７，Ｍ８…追加されたＰチャネルＭＯＳトランジスタ、
１１…入力端子電圧、１２…出力電圧制御電圧、
１３…出力端子電圧、１４…ゲード電極、１５…ドレイン電極、
１６…ソース電極、１７…基板電極、１８，１９…Ｐ＋領域、
２０…Ｎ＋領域、２１…Ｎウェル（基板）、２２…Ｐウェル、
２７…入力電圧、２５…定電圧電源回路、２８…出力電圧、
２６…ＡＣアダプター等の他電源回路、２９…アプリケーション、
３０…逆流保護ダイオード。
【図１】
2008077683.tif 000003
【図２】
2008077683.tif 000004
【図３】
2008077683.tif 000005
【図４】
2008077683.tif 000006
【図５】
2008077683.tif 000007
【図６】
2008077683.tif 000008